(57)【要約】【課題】  ベースプレート及びそれを備えるハードディスクドライブにおいて，アクチュエータに伝達される外部からの衝撃を緩和する。【解決手段】  ディスク１１５へのデータの書き込みおよびディスクからのデータの読み出しを行うヘッドを移動させるアクチュエータ１３０が回動自在に設置されたベースプレート１０１において：アクチュエータの回動中心の周辺に，アクチュエータに伝達される衝撃を緩和する緩衝スロット１０３，１０６を設けた。【選択図】    図３
2006024354.tif 000002
【特許請求の範囲】
【請求項１】
ディスクへのデータの書き込みおよびディスクからのデータの読み出しを行うヘッドを移動させるアクチュエータが回動自在に設置されたベースプレートにおいて：
前記アクチュエータの回動中心の周辺に，前記アクチュエータに伝達される衝撃を緩和する緩衝スロットが設けられることを特徴とするベースプレート。
【請求項２】
前記緩衝スロットは，前記アクチュエータの回動中心を中心とする環状であり，
前記緩衝スロットの少なくとも一部に，前記緩衝スロットを幅方向に横断する連結部を備えることを特徴とする請求項１に記載のベースプレート。
【請求項３】
前記緩衝スロットは，同心円状に複数設けられ，１つの前記緩衝スロットの前記連結部と前記アクチュエータの回動中心とを結ぶ直線と，他の前記緩衝スロットの前記連結部と前記アクチュエータの回動中心とを結ぶ直線は，互いに一致していないことを特徴とする請求項２に記載のベースプレート。
【請求項４】
前記緩衝スロットは，相対的にアクチュエータの回動中心から近い第１緩衝スロットと，相対的にアクチュエータの回動中心から遠い第２緩衝スロットとからなり，
前記第１緩衝スロットの前記連結部と前記アクチュエータの回動中心とを結ぶ直線と，第２緩衝スロットの前記連結部と前記アクチュエータの回動中心とを結ぶ直線は，互いに直交することを特徴とする請求項３に記載のベースプレート。
【請求項５】
前記緩衝スロットの幅は，０．５ｍｍ〜２．５ｍｍであることを特徴とする請求項１〜４のいずれか１項に記載のベースプレート。
【請求項６】
ベースプレートと，前記ベースプレート上に回転自在に設置されるディスクと，前記ベースプレート上に回動自在に設置され，前記ディスクへのデータの書き込みおよびディスクからのデータの読み出しを行うヘッドを備えたスライダを支持するアクチュエータと，を備えるハードディスクドライブにおいて：
前記アクチュエータの回動中心の周辺に，前記アクチュエータに伝達される衝撃を緩和する緩衝スロットが設けられることを特徴とするハードディスクドライブ。
【請求項７】
前記緩衝スロットは，前記アクチュエータの回動中心を中心とする環状であり，
前記緩衝スロットの少なくとも一部に，前記緩衝スロットを幅方向に横断する連結部を備えることことを特徴とする，請求項６に記載のハードディスクドライブ。
【請求項８】
前記緩衝スロットは，同心円状に複数設けられ，１つの前記緩衝スロットの前記連結部と前記アクチュエータの回動中心とを結ぶ直線と，他の前記緩衝スロットの前記連結部と前記アクチュエータの回動中心とを結ぶ直線は，互いに一致していないことを特徴とする請求項７に記載のハードディスクドライブ。
【請求項９】
前記緩衝スロットは，相対的にアクチュエータの回動中心から近い第１緩衝スロットと，相対的にアクチュエータの回動中心から遠い第２緩衝スロットとからなり，
前記第１緩衝スロットの前記連結部と前記アクチュエータの回動中心とを結ぶ直線と，第２緩衝スロットの前記連結部と前記アクチュエータの回動中心とを結ぶ直線は，互いに直交することを特徴とする請求項８に記載のハードディスクドライブ。
【請求項１０】
前記緩衝スロットの幅は，０．５ｍｍ〜２．５ｍｍであることを特徴とする請求項６〜９のいずれか１項に記載のハードディスクドライブ。
【発明の詳細な説明】
【技術分野】
【０００１】
本発明は，ハードディスクドライブ（Ｈａｒｄ  Ｄｉｓｋ  Ｄｒｉｖｅ：以下，ＨＤＤと称する）に係り，より詳細には，アクチュエータに伝達される外部からの衝撃を緩和するベースプレート，及びそれを備えるＨＤＤに関する。
【背景技術】
【０００２】
図１には，従来のＨＤＤの一例が図示されている。図１に示すように，ＨＤＤ１０は，データの記録媒体であるディスク２５，スピンドルモーター３０，磁気ヘッド４１ａ，４１ｂ，アクチュエータ４０，カバープレート２０を主に備える。スピンドルモーター３０は，ベースプレート１１上に設置されて，ディスク２５を回転させる。磁気ヘッド４１ａ，４１ｂは，ディスク２５にデータを記録し，かつディスク２５からデータを読み取る。アクチュエータ４０は，磁気ヘッド４１ａ，４１ｂを動かす手段を備える。カバープレート２０は，ベースプレート１１と締結されて，ベースプレート１１上の構成要素２５，３０，４０を保護する。
【０００３】
ディスク２５は，ベースプレート１１に対して回転自在となるように，スピンドルモーター３０の回転子に固設される。ディスク２５の上下の表面には，記録されるデータの位置を知らせるサーボ信号が，ディスク２５の円周に沿って形成された数万個のトラックにあらかじめ記録されている。
【０００４】
アクチュエータ４０は，ベースプレート１１の装着突部１５に装着されて，ボイスコイルモーター（Ｖｏｉｃｅ  Ｃｏｉｌ  Ｍｏｔｏｒ：以下，ＶＣＭ）４７により，装着突部１５を中心に回動させられる。また，アクチュエータ４０は，磁気ヘッド４１ａ，４１ｂを支持する手段として機能する。具体的には，アクチュエータ２０は，スイングアーム４４と，サスペンション４３ａ，４３ｂとを備える。スライダ４２ａは，スイングアーム４４に設置されており，磁気ヘッド４１ａ，４１ｂが搭載される。サスペンション４３ａ，４３ｂは，スライダ４２ａ，４２ｂをディスク２５の表面側に付勢するように支持する。
【０００５】
ＨＤＤ１０の電源がオンとなってディスク２５が回転し始めると，空気圧による揚力が発生する。スライダ４２ａ，４２ｂは，ディスク２５の表面上で，ディスク２５の回転による揚力と，サスペンション４３ａ，４３ｂによる弾性力とが平行になる高さで浮上した状態を維持する。それにより，スライダ４２ａ，４２ｂに搭載された磁気ヘッド４１ａ，４１ｂは，回転するディスク２５と一定の間隔を維持しつつ，ディスク２５にデータを記録し，またはディスク２５からデータを読み取る。
【発明の開示】
【発明が解決しようとする課題】
【０００６】
上記構成を有する従来のＨＤＤ１０の使用中に，ＨＤＤ１０に外部から衝撃が加えられた場合，ディスク２５の表面に浮上した状態で維持されているスライダ４２ａ，４２ｂが，衝撃により，ディスク２５にぶつかって，ＨＤＤ１０の故障を引き起こす可能性がある。また，たとえスライダ４２ａ，４２ｂとディスク２５とぶつからないとしても，データ記録／読み取りのエラーが発生する可能性が高い。外部からの衝撃は，ベースプレート１１を介してアクチュエータ４０に伝達されるが，従来のベースプレート１１には，アクチュエータ４０に伝達される衝撃を緩和する手段が設けられていない。
【０００７】
そこで，本発明は，このような問題に鑑みてなされたもので，その目的とするところは，アクチュエータに伝達される外部からの衝撃を緩和することが可能なベースプレート，及びそれを備えるＨＤＤを提供することである。
【課題を解決するための手段】
【０００８】
上記課題を解決するために，本発明のある観点によれば，ディスクへのデータの書き込みおよびディスクからのデータの読み出しを行うヘッドを移動させるアクチュエータが回動自在に設置されたベースプレートにおいて：アクチュエータの回動中心の周辺に，アクチュエータに伝達される衝撃を緩和する緩衝スロットが設けられることを特徴とするベースプレートが提供される。
【０００９】
上記課題を解決するために，本発明の別の観点によれば，ベースプレートと，ベースプレート上に回転自在に設置されるディスクと，ベースプレート上に回動自在に設置され，ディスクへのデータの書き込みおよびディスクからのデータの読み出しを行うヘッドを備えたスライダを支持するアクチュエータと，を備えるハードディスクドライブにおいて：アクチュエータの回動中心の周辺に，アクチュエータに伝達される衝撃を緩和する緩衝スロットが設けられることを特徴とするハードディスクドライブが提供される。
【００１０】
上記緩衝スロットは，アクチュエータの回動中心を中心とする環状であってもよく，緩衝スロットの少なくとも一部に，緩衝スロットを幅方向に横断する連結部を備えてもよい。
【００１１】
上記緩衝スロットは，同心円状に複数設けられ，１つの緩衝スロットの連結部とアクチュエータの回動中心とを結ぶ直線と，他の緩衝スロットの連結部とアクチュエータの回動中心とを結ぶ直線は，互いに一致しないように構成されてもよい。
【００１２】
上記緩衝スロットは，相対的にアクチュエータの回動中心から近い第１緩衝スロットと，相対的にアクチュエータの回動中心から遠い第２緩衝スロットとからなり，上記第１緩衝スロットの連結部とアクチュエータの回動中心とを結ぶ直線と，第２緩衝スロットの連結部とアクチュエータの回動中心とを結ぶ直線は，互いに直交するように構成されてもよい。
【００１３】
上記緩衝スロットの幅は，０．５ｍｍ〜２．５ｍｍであってもよい。
【発明の効果】
【００１４】
以上説明したように本発明によれば，ＨＤＤに外部からの衝撃が加えられた際に，従来の場合よりも，その衝撃を緩和させてアクチュエータに伝達することができる。それにより，スライダがディスクにぶつかって故障を引き起こしたり，データ記録／読み取り時にエラーが発生する可能性を減少させることができる。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
以下，添付された図面を参照して，本発明の好ましい実施例に係るベースプレート，及びそれを備えるＨＤＤを詳細に説明する。
【００１７】
図２は，本発明の好ましい実施形態に係るＨＤＤを示す分解斜視図であり，図３は，本発明の好ましい実施形態に係るベースプレートを示す平面図である。
【００１８】
図２及び図３に示すように，本実施形態に係るＨＤＤ１００は，ベースプレート１０１とカバープレート１１０とが結合されて形成される。ベースプレート１０１とカバープレート１１０は，その間に所定の内部空間を有し，ハウジングとして機能する。また，ハウジング内に，ディスク１１５と，スピンドルモーター１２０と，アクチュエータ１３０とを備える。
【００１９】
ハウジングを構成するベースプレート１０１は，スピンドルモーター１２０とアクチュエータ１３０とを支持する。ベースプレート１０１とともにハウジングを構成するカバープレート１１０は，ベースプレート１０１の上部に結合されており，ディスク１１５を保護する役割を担う。このようなハウジングは，通常ステンレススチルスチールまたはアルミニウム材質により製作される。
【００２０】
ハウジングの内部には，ディスク１１５が設置される。なお，従来では，データの保存容量を増加させるために，ＨＤＤに４個またはそれ以上のディスクを設置することもあったが，最近では，ディスクの面記録密度が増加して，１つまたは２つのディスクのみでも十分な容量のデータを保存できる。したがって，最近では，１つまたは２つのディスクを有するＨＤＤが主になっている。
【００２１】
スピンドルモーター１２０は，ディスク１１５を回転させるためのものであって，ベースプレート１０１の装着孔１０９に固設される。スピンドルモーター１２０の上段部には，ディスク１１５の離脱を防止するためのディスククランプ１２５が結合される。
【００２２】
アクチュエータ１３０は，ディスク１１５にデータを記録し，またディスク１１５からデータを読み取るための装置であって，ベースプレート１０１の装着突部１０２に回動自在に設置される。アクチュエータ１３０は，装着突部１０２に嵌合されるピボットベアリング１３８と，装着突部１０２を回動中心として回動するスイングアーム１３７と，スイングアーム１３７の先端部に結合された第１サスペンション１３５ａ及び第２サスペンション１３５ｂと，各サスペンション１３５ａ，１３５ｂに支持される第１スライダ１３２ａ及び第２スライダ１３２ｂとを備える。各スライダ１３２ａ，１３２ｂには，データの記録及び再生のための第１磁気ヘッド１３１ａ及び第２磁気ヘッド１３１ｂが搭載される。また，スイングアーム１３７を駆動するための回動力を提供するＶＣＭ１３９を備える。ＶＣＭ１３９は，サーボ制御システムにより制御される。ＶＣＭ１３９は，ＶＣＭコイルに入力される電流と，マグネットにより形成された磁場との相互作用により，フレミングの左手の法則による方向にスイングアーム１３７を回転させる。それにより，サスペンション１３５ａ，１３５ｂの先端に付着されたスライダ１３２ａ，１３２ｂが，ディスク１１５上で，スピンドルモーター１２０に向う方向や，ディスク１１５の外周に向う方向に移動する。
【００２３】
アクチュエータ１３０の回動中心となる，ベースプレート１０１の装着突部１０２の周辺には，アクチュエータ１３０に伝達される衝撃を緩和するための第１緩衝スロット１０３及び第２緩衝スロット１０６が設けられる。第１緩衝スロット１０３及び第２緩衝スロット１０６は，ベースプレート１０１を厚み方向に貫通して形成された長孔である。また，第１緩衝スロット１０３及び第２緩衝スロット１０６は，装着突部１０２を中心とする同心円状であり，第１緩衝スロット１０３が第２緩衝スロット１０６より装着突部１０２に近い位置に配置される。緩衝スロット１０３，１０６の幅は，狭すぎると緩衝効果を期待し難い。しかし，構造的な制約があるため，緩衝スロット１０３，１０６の幅を広くしすぎることもできない。したがって，緩衝スロット１０３，１０６の幅は，０．５〜２．５ｍｍであることが好ましい。
【００２４】
第１緩衝スロット１０３には，第１緩衝スロット１０３を幅方向に横断する連結部が２カ所に設けられる。具体的には，第１緩衝スロット１０３の内側壁と外側壁とを横切って連結する一対の第１連結部１０５が設けられる。また，第２緩衝スロット１０６にも，第２緩衝スロット１０６を幅方向に横断する連結部の一例として，第２緩衝スロット１０６の内側壁と外側壁とを横切って連結する一対の第２連結部１０８が設けられる。なお，上記の緩衝スロットの内側壁とは，緩衝スロットを構成する壁のち，装着突部１０２に近い方の壁を指し，外側壁は，装着突部１０２から遠い方の壁を指す。上述のように，緩衝スロットはベースプレート１０１を貫通する長孔であるため，第１連結部１０５及び第２連結部１０８は，装着突部１０２がベースプレート１０１から分離されないように，ベースプレート１０１の他の部分と連結するために必要なものである。しかし，連結部１０５，１０８を介して外部衝撃が装着突部１０２に伝えられるため，連結部１０５，１０８の幅はなるべく狭くすることが好ましい。
【００２５】
一対の第１連結部１０５は，装着突部１０２を中心に互いに逆方向に位置し，装着突部１０２を通過するＹ方向の直線上に位置する。そして，一対の第２連結部１０８は，装着突部１０２を中心に互いに逆方向に位置し，装着突部１０２を通過するＸ方向の直線上に位置する。それにより，一対の第１連結部１０５と装着突起１０２とを結ぶ直線と，一対の第２連結部１０８と装着突起１０２とを結ぶ直線とは，直交する。
【００２６】
装着突起１０２は，第１連結部１０５及び第２連結部１０８のみを介して，ベースプレート１０１の他の部分と連結されている。換言すると，装着突起１０２は，その周りに，第１緩衝スロット１０３及び第２緩衝スロット１０６が配置されることにより，ベースプレート１０１の他の部分から実質的に孤立している。したがって，ＨＤＤ１００に外部からの衝撃が加えられた場合，第１緩衝スロット１０３及び第２緩衝スロット１０６により衝撃が一部吸収される。具体的には，図３に矢印で示すように，外部からの衝撃が直接的に装着突起１０２に向わずに，まず第２緩衝スロット１０６に沿って第２連結部に向かい，続いて第１緩衝スロット１０３に沿って第１連結部１０５に向かい，その後に装着突起１０２に向かう。つまり，外部からの衝撃は，装着突起１０２に伝達されるまでに遠回りをし，それに応じて衝撃が次第に弱められる。それにより，アクチュエータ１３０には，従来のＨＤＤの場合より，外部からの衝撃が弱くなった状態で伝達される。
【００２７】
本実施形態の効果を検証するために，従来のベースプレートと本実施形態のベースプレート１０１とのインパルス応答を比較するコンピュータシミュレーションを行った。コンピュータシミュレーションは，緩衝スロットのない従来のベースプレートと，図３に示すように，第１緩衝スロット１０３及び第２緩衝スロット１０６のあるベースプレート１０１とに仮想のインパルスを加えて，装着突部（図３の１０２を参照）でのインパルス応答を計算して，グラフに表す方式で行った。入力インパルスは，最高値が３５０Ｇ（１Ｇは，約９８００ｍｍ／ｓ２）であるハーフサイン状の信号で，２ｍｓの間にＹ方向（図３参照）に加えられた。図４及び図５には，上記コンピュータシミュレーションによる応答がグラフで表されている。図４は，Ｘ方向の応答を表し，図５は，Ｙ方向の応答を表す。
【００２８】
図４を参照してＸ方向のインパルス応答を説明する。緩衝スロットのない従来のベースプレートの場合の結果が実線で示されており，最高値が１６．９Ｇと計算された。一方，第１緩衝スロット１０３及び第２緩衝スロット１０６のある本実施形態のベースプレート１０１の場合の結果が点線で示されており，最高値が１５．３Ｇと計算された。また，図５を参照してＹ方向のインパルス応答を説明する。緩衝スロットのない従来のベースプレートの場合の結果が実線で示されており，最高値が３９２Ｇと計算された。一方，第１緩衝スロット１０３及び第２緩衝スロット１０６のある本実施形態のベースプレート１０１の場合の結果が点線で示されており，最高値が３６６Ｇと計算された。
【００２９】
上記コンピュータシミュレーションから，本実施形態にかかる，緩衝スロットを備えたベースプレート１０１によれば，従来のベースプレートに比べて，装着突部１０２に伝達される衝撃が緩和されることがわかる。
【００３０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００３１】
例えば，上記実施形態では，緩衝スロットは２つ設けられたが，本発明はかかる例には限定されない。緩衝スロットは１つでもよいし，３つ以上でもよい。また，上記実施形態では，緩衝スロットは円形であるが，かかる例には限定されず，三角形，四角形等の多角形であってもよい。
【産業上の利用可能性】
【００３２】
本発明は，ハードディスクドライブに適用可能であり，特に，アクチュエータに伝えられる外部からの衝撃を緩和する技術分野に適用できる。
【図面の簡単な説明】
【００３３】
【図１】従来のＨＤＤの一例を示す分解斜視図である。
【図２】本発明の実施形態に係るＨＤＤを示す分解斜視図である。
【図３】同実施の形態に係るベースプレートを示す平面図である。
【図４】従来のベースプレートと本発明の実施形態にかかるベースプレートとに仮想のインパルスを入力した時のＸ方向の応答を示すシミュレーショングラフである。
【図５】従来のベースプレートと本発明の実施形態にかかるベースプレートとに仮想のインパルスを入力した時のＹ方向の応答を示すシミュレーショングラフである。
【符号の説明】
【００３４】
１０１      ベースプレート
１０２      装着突部
１０３      第１緩衝スロット
１０５      第１連結部
１０６      第２緩衝スロット
１０８      第２連結部
１０９      装着孔
【図１】
2006024354.tif 000003
【図２】
2006024354.tif 000004
【図３】
2006024354.tif 000005
【図４】
2006024354.tif 000006
【図５】
2006024354.tif 000007